(57)【要約】【課題】簡易な構造で足にフィットして歩行時に抜け落ちないとともに、着用に際して或る程度の緊張状態で足肌側に圧力を付与し、血液循環の促進を図り、むれることなく使用勝手や着用感を良好にする。【解決手段】履き物を、合成ゴムのスポンジシートに布貼りして伸縮可能に設けられた薄形にして柔軟な底部２と、合成ゴムのスポンジシートに布貼りして伸縮可能に設けられた薄形にして柔軟な甲被い部３と、合成ゴムのスポンジシートに布貼りして伸縮可能に設けられた薄形にして柔軟な踵被い部４と、合成ゴムのスポンジシートに布貼りして伸縮可能に設けられ、甲被い部３から踵被い部４とを連結する薄形にして柔軟な連結部５と、足側部中央部分に対応位置する側面開放部６とを備える構成とした。【選択図】　　図１
2004033484.tif 000002
【特許請求の範囲】
【請求項１】
合成ゴムからなるスポンジシートの足裏受け面側に布貼りして伸縮可能に設けられた薄形にして柔軟な底部と、合成ゴムからなるスポンジシートの少なくとも甲受け面側に布貼りして伸縮可能に設けられ、前記底部の先端部側を開放して底部に取り付けられた薄形にして柔軟な甲被い部と、合成ゴムからなるスポンジシートの少なくとも踵受け面側に布貼りして伸縮可能に設けられ、前記底部の後縁から立ち上がるようにして取り付けられた薄形にして柔軟な踵被い部と、合成ゴムのスポンジシートの少なくとも足接触面側に布貼りして伸縮可能に設けられ、前記甲被い部の頂部後縁から前記踵被い部に亘って甲被い部と踵被い部とを連結する薄形にして柔軟な連結部と、足側部中央部分に対応位置する側面開放部とを備え、
着用時に足先回りを、前記底部と前記甲被い部とで緊張状態にして保持し、踵回りを、伸長した前記連結部が連結されている前記踵被い部とこの踵被い部が取り付けられている底部後部とで緊張状態にして保持する構成としたことを特徴とする履き物。
【請求項２】
上記甲被い部と底部との取付部位において、甲被い部の端面と底部側辺の端面とを突き合わせして、甲被い部の甲受け面と底部の足裏受け面とが連続するように取付けられ、上記踵被い部と底部との取付部位において、踵被い部の端面と底部後縁の端面とを突き合わせして、踵被い部の踵受け面と底部の足裏受け面とが連続するように取付けられている請求項１に記載の履き物。
【発明の詳細な説明】
【０００１】
【発明の属する技術分野】
本発明は履き物、特に室内履き用途などで使用する履き物に関するものである。
【０００２】
【発明が解決しようとする課題】
従来からホテルなどの宿泊施設には宿泊者が利用できる室内履きとしてのスリッパが用意されている。また、同様に長距離航路を運行する旅客機においても乗客向けに客室内で利用できるスリッパが用意されている。
しかしながら、これらの履き物は足裏を受ける底部に足の甲を受ける甲被い部を設けただけの構成で、底部や甲被い部が例えば合成樹脂シートを重ね合わせた極めて簡易な構造であるため、使用者個々の足に合った履き物としては提供することができない。そして、通常のスリッパと同じように足先のみを差し入れて着用することとなるが、前述したように足に合ったものではないために足先から抜け落ち易く、或る程度足元に注意を払いながら歩行しているのが現状である。
また、ホテル客室の室内履きや旅客機の客室履きでは、靴を脱いで解放した足に履き、或る程度狭い範囲を歩く際の便宜が図れればよいものとしているが、旅客機の乗客にあっては長時間同一の着座姿勢をすることによって足側での血液循環が悪くなり易く、着用時に室内履きからマッサージ効果が得られるようにしたいとの要望もあった。
【０００３】
一方、リゾートビーチにおいて使用される簡易な履き物としてはリゾート客が予め用意して持ち込んだビーチサンダルが利用され、ビーチに隣接したリゾートホテルなどでは宿泊するリゾート客がそのビーチサンダルを室内履きとしても兼用している場合が多い。
しかしながら、ビーチサンダル自体が或る程度の荷物となっているため、ビーチでも使用できる簡易な室内履きをホテル側にて用意することで、宿泊客へのサービス向上を図るようにしたいとの要望もあった。
そこで本発明は、ホテルなどの宿泊施設や旅客機の機内用履き物において、簡易な構造でありながら足にフィットして歩行に際しても抜け落ちることのないようにするとともに、着用に際して或る程度の緊張状態として足側に圧力を付与し、血液循環の促進を図ることができるようにすることを課題とし、長時間着用してもむれることなく使用勝手や着用感の良好な履き物を得ることを目的とする。
【０００４】
【課題を解決するための手段】
本発明は上記課題を考慮してなるもので、合成ゴムからなるスポンジシートの足裏受け面側に布貼りして伸縮可能に設けられた薄形にして柔軟な底部と、合成ゴムからなるスポンジシートの少なくとも甲受け面側に布貼りして伸縮可能に設けられ、前記底部の先端部側を開放して底部に取り付けられた薄形にして柔軟な甲被い部と、合成ゴムからなるスポンジシートの少なくとも踵受け面側に布貼りして伸縮可能に設けられ、前記底部の後縁から立ち上がるようにして取り付けられた薄形にして柔軟な踵被い部と、合成ゴムのスポンジシートの少なくとも足接触面側に布貼りして伸縮可能に設けられ、前記甲被い部の頂部後縁から前記踵被い部に亘って甲被い部と踵被い部とを連結する薄形にして柔軟な連結部と、足側部中央部分に対応位置する側面開放部とを備え、着用時に足先回りを、前記底部と前記甲被い部とで緊張状態にして保持し、踵回りを、伸長した前記連結部が連結されている前記踵被い部とこの踵被い部が取り付けられている底部後部とで緊張状態にして保持する構成としたことを特徴とする履き物を提供して、上記課題を解消するものである。
そして、本発明において、上記甲被い部と底部との取付部位において、甲被い部の端面と底部側辺の端面とを突き合わせして、甲被い部の甲受け面と底部の足裏受け面とが連続するように取付けられ、上記踵被い部と底部との取付部位において、踵被い部の端面と底部後縁の端面とを突き合わせして、踵被い部の踵受け面と底部の足裏受け面とが連続するように取付けられているものとすることが良好である。
【０００５】
【発明の実施の形態】
つぎに本発明を図１から図４に示す実施の形態に基づいて詳細に説明する。
図中１は履き物で、該履き物１は足裏に対応する底部２と、この底部２の先端部側を開放して底部２に取り付けられた甲被い部３と、底部２の後縁から立ち上がるようにして取り付けられた踵被い部４と、前記甲被い部３と踵被い部４とを連結し、足の甲上部からくるぶし下方を経て踵上部へと巡るようにして略環状の履き口を形成する連結部５と、前記底部２と甲被い部３と踵被い部４と連結部５とに囲まれて足側部中央部分に対応位置する側面開放部６とを備えたものである。
【０００６】
上記履き物１における底部２、甲被い部３、踵被い部４、連結部５とはそれぞれ合成ゴムからなるスポンジシートを基体としているものであって、その基体の少なくとも足肌側となる面に布貼りして伸縮可能に設けられている。このように片面に布貼りした合成ゴムのスポンジシートとしては例えばクロロプレン系合成ゴムのスポンジシートを利用した近年のウエットスーツ素材が利用できる。
上記底部２は厚さ２〜３ｍｍの薄形にして柔軟なものとされ、下面には凹凸からなる滑り止め７が一体にして形成されている（図３、図４参照）。上記甲被い部３では上記基体の甲受け面側である内面３ａと化粧外面との両面が布貼りとなって伸縮可能に設けられている。この甲被い部３は前記底部２の先端部側を開放して底部２に取り付けられており、底部２と甲被い部３との取付部位においては、図３に示すように底部２側辺の端面と甲被い部３の端面とを突き合わせし、底部２の足裏受け面となる上面２ａと甲被い部３の甲受け面となる内面３ａが連続するようにして縫製により連結されている。
踵被い部４は基体の踵受け面側である内面４ａと化粧外面との両面に布貼りして伸縮可能にして設けられ、底部２の後縁から立ち上がるようにして取り付けられている。底部２と踵被い部４との取付部位においては、図４に示すように底部２の後縁の端面と踵被い部４の端面とを突き合わせし、底部２の上面２ａと踵被い部４の内面４ａが連続するようにして縫製により連結されている。また、この踵被い部４自体は左右部材を継ぎ合わせしてなるものであり、左右部材を縫製により連結している。
【０００７】
略環状としている連結部５は基体の足接触面側である内面５ａと化粧外面との両面に布貼りして伸縮可能にして設けられていて、図示されているように上記甲被い部３における頂部後縁から上記踵被い部４の上部に亘って甲被い部３と踵被い部４とを連結している。なお、連結部５の内縁はバイアス処理されて足肌への当たりが柔らかくなるようにしている。
上記甲被い部３と踵被い部４と連結部５とは一素材を一体に型抜きして連続しているものであり、それぞれは厚さ２〜３ｍｍの薄形にして柔軟に設けられている。このように履き物１は底部２をスポンジシートを基体として薄形にして柔軟で伸縮可能なものとし、甲被い部３、踵被い部４、連結部５もスポンジシートを基体として薄形にして柔軟で伸縮可能としていることから、甲被い部３と踵被い部４とを底部２側に倒した偏平形状にすることも可能であり、丸めるようにすることも可能である。
【０００８】
上記側面開放部６は足側部中央部分に対応位置していて、甲被い部３側ではその甲被い部３の頂部に近接する位置まで延設され、この側面開放部６の甲被い部３に対する頂部側切り込み部６ａの形状を曲線状としている。このように側面開放部６が甲被い部３の頂部側まで深く入り込んでいることから、図２に示すように履き物１を着用した場合には足の表出部分が多くなり、これによって蒸れを防止している。また、甲被い部３に対する頂部側切り込み部６ａの形状を曲線状としているため、後述するように着用時に甲被い部３と連結部５とが緊張状態となって側面開放部６の頂部側切り込み部６ａが大きく開いても、裂け目が生じないようにしている。
【０００９】
この履き物１では上述したように伸縮可能な素材を使用し、足への着用時には足の足先回りと踵回りを保持するように設けられている。即ち、着用時に甲被い部３下に足先を差し入れると底部２と甲被い部３とが伸長し、底部２の上面２ａと甲被い部３の内面３ａとで足先回りを緊張状態にして保持するようにしている（図３参照）。また、踵を連結部５に通して踵被い部４に入れる場合にも底部２、踵被い部４、連結部５それぞれが伸長し、踵を、伸長した踵被い部４の踵受け面４ａと踵被い部４が取り付けられている底部２の後部における上面２ａとで緊張状態にして保持するように設けられている（図４参照）。
このため、この履き物１を着用して歩行しても甲被い部３から足先が抜け出ることがないとともに踵が底部２から離れないようになり、履き物１の外れに注意を払うことなく歩行できるようになる。
【００１０】
さらに、足先回りを、連続した底部２の足裏受け面となる上面２ａと甲被い部３の甲受け面となる内面３ａとが緊張状態にして覆うため、また、踵回りを、連続した底部２の踵下対応部分となる後部の上面２ａと踵被い部４の踵受け面となる内面４ａとが緊張状態にして覆うため、連結部分に対して違和感を生じさせることなく足肌にフィットする。そして着用する際には足肌側に或る程度の面圧を付与して血行を促すようになりマッサージ効果がある。
なお、本発明において基体のスポンジシートをクロロプレン系合成ゴムとして説明したが、本発明はこの例に限定されるものではない。
【００１１】
【発明の効果】
以上説明したように、本発明の履き物によれば、合成ゴムからなるスポンジシートの足裏受け面側に布貼りして伸縮可能に設けられた薄形にして柔軟な底部と、合成ゴムからなるスポンジシートの少なくとも甲受け面側に布貼りして伸縮可能に設けられ、前記底部の先端部側を開放して底部に取り付けられた薄形にして柔軟な甲被い部と、合成ゴムからなるスポンジシートの少なくとも踵受け面側に布貼りして伸縮可能に設けられ、前記底部の後縁から立ち上がるようにして取り付けられた薄形にして柔軟な踵被い部と、合成ゴムのスポンジシートの少なくとも足接触面側に布貼りして伸縮可能に設けられ、前記甲被い部の頂部後縁から前記踵被い部に亘って甲被い部と踵被い部とを連結する薄形にして柔軟な連結部と、足側部中央部分に対応位置する側面開放部とを備え、着用時に足先回りを、前記底部と前記甲被い部とで緊張状態にして保持し、踵回りを、伸長した前記連結部が連結されている前記踵被い部とこの踵被い部が取り付けられている底部後部とで緊張状態にして保持する構成としたことを特徴とするものである。
このように底部、甲被い部、踵被い部、連結部それぞれが伸縮可能で柔軟にして薄形であることから、履き物全体を偏平としたり丸めたりすることが簡単であり、携帯に適したものとなる。また、着用すると足先回りと踵回りとを保持するため、足からの外れが防止され、足元に注意を払うことなく歩行ができ、緊張状態にして足肌に接するためにマッサージ効果を得ることができるようになる。
さらに、合成ゴム系で微細な気泡を有するスポンジシートを用いて底部が構成されているため、暑く熱せられた砂浜を歩行する場合にも断熱効果があり、室内履きとビーチサンダルとしても兼用でき、汎用性が高いなどの優れた効果を奏するものである。
【図面の簡単な説明】
【図１】本発明に係る履き物の一例を示す説明図である。
【図２】一例の着用状態を示す説明図である。
【図３】足先回りに対応する部分を断面で示す説明図である。
【図４】踵回りに対応する部分を断面で示す説明図である。
【符号の説明】
１…履き物
２…底部
３…甲被い部
４…踵被い部
５…連結部
６…側面開放部
７…滑り止め
【図１】
2004033484.tif 000003
【図２】
2004033484.tif 000004
【図３】
2004033484.tif 000005
【図４】
2004033484.tif 000006